(57)【要約】  照明器具（１００）は、保持部材（２１）と、照明パネル（１０Ａ）と、照明パネル（１０Ａ）を保持部材（２１）に着脱可能に取り付ける取付具（３１）とを備える。照明パネル（１０Ａ）は、照明パネル（１０Ａ）の発光面と照明パネル（１０Ｂ）の発光面とが略同一平面上に位置している第１姿勢と、照明パネル（１０Ａ）がその発光面側から押圧されることによって、取付具（３１）が保持部材（２１）に取り付けられている部分を中心として回動するとともに照明パネル（１０Ｂ）に対して傾斜する第２姿勢とを形成する。第２姿勢を形成した照明パネル（１０Ａ）が保持部材（２１）から遠ざかる方向に移動されることによって、取付具（３１）が保持部材（２１）から離脱し、第２姿勢を形成した照明パネル（１０Ａ）は保持部材（２１）から容易に取り外される。
2013038947.tif 000002
【特許請求の範囲】
【請求項１】
所定の方向に向かって延びる形状を有する保持部材（２１）と、
前記保持部材に取り付けられ、表面（１０Ｓ）側に発光面（１６）が設けられた照明パネル（１０Ａ）と、
前記照明パネルの裏面（１０Ｔ）上に設けられ、前記照明パネルを前記保持部材に対して着脱可能に取り付ける取付具（３１，３２）と、を備え、
前記照明パネルの発光面は他の照明パネル（１０Ｂ）の発光面と隣接するように配置され、
前記照明パネル（１０Ａ）は、
該照明パネルの発光面と前記他の照明パネルの発光面とが略同一平面上に位置している第１姿勢（Ｓ１）と、
前記照明パネルが該照明パネルの発光面側から押圧されることによって、前記取付具が前記保持部材に取り付けられている部分を中心として回動するとともに前記他の照明パネルに対して傾斜する第２姿勢（Ｓ２）と、を形成し、
前記第２姿勢を形成した前記照明パネルが前記保持部材から遠ざかる方向に移動されることによって、前記取付具が前記保持部材から離脱し、前記第２姿勢を形成した前記照明パネルは前記保持部材から取り外される、
照明器具。
【請求項２】
前記他の照明パネルは、前記保持部材（２１）または他の保持部材（２２）に取り付けられており、
前記他の保持部材（２２）は前記保持部材（２１）に対して平行に配置され、所定の方向に向かって延びる形状を有する、
請求項１に記載の照明器具。
【請求項３】
表面（１０Ｓ）側に発光面（１６）が設けられた照明パネル（１０Ａ）と、
前記照明パネルの裏面（１０Ｔ）上に設けられ、前記照明パネルの設置場所に固定された所定の方向に延びる形状を有する保持部材（２１）に対して該照明パネルを着脱可能に取り付ける取付具（３１，３２）と、を備え、
前記照明パネルの発光面は他の照明パネル（１０Ｂ）の発光面と隣接するように配置され、
前記照明パネル（１０Ａ）は、
該照明パネルの発光面と前記他の照明パネルの発光面とが略同一平面上に位置している第１姿勢（Ｓ１）と、
前記照明パネルが該照明パネルの発光面側から押圧されることによって、前記取付具が前記保持部材に取り付けられている部分を中心として回動するとともに前記他の照明パネルに対して傾斜する第２姿勢（Ｓ２）と、を形成し、
前記第２姿勢を形成した前記照明パネルが前記保持部材から遠ざかる方向に移動されることによって、前記取付具が前記保持部材から離脱し、前記第２姿勢を形成した前記照明パネルは前記保持部材から取り外される、
照明器具。
【請求項４】
前記保持部材（２１）は、外部の電力供給手段から前記照明パネルに給電するための電気接点（２４）を含む、
請求項１または２に記載の照明器具。
【請求項５】
前記取付具（３１，３２）は、給電を受けるための他の電気接点を有し、
前記照明パネルが前記第１姿勢（Ｓ１）を形成している状態において、前記取付具の前記他の電気接点と前記保持部材の前記電気接点とが互いに接触することにより、前記照明パネルは前記取付具を通して前記外部の電力供給手段からの給電を受け、
前記照明パネルが前記第２姿勢（Ｓ２）を形成している状態において、前記取付具の前記他の電気接点と前記保持部材の前記電気接点とは互いに非接触となり、前記給電が停止される、
請求項４に記載の照明器具。
【請求項６】
前記取付具（３１，３２）は、前記照明パネルの前記裏面上に２つ設けられ、
一方の前記取付具（３１）は、正極用の前記他の電気接点を有し、
他方の前記取付具（３２）は、負極用の前記他の電気接点を有している、
請求項５に記載の照明器具。
【請求項７】
前記保持部材（２１）は、前記外部の電力供給手段から前記照明パネルに給電するための配線（２４）を有し、
前記他の照明パネル（１０Ｂ）は、正極用の電気接点を構成する取付具と、負極用の電気接点を構成する他の取付具とを有し、
前記他の照明パネル（１０Ｂ）は、前記保持部材（２１）に取り付けられ、
前記照明パネル（１０Ａ）と前記他の照明パネル（１０Ｂ）とは、前記照明パネル（１０Ａ）の負極用の前記電気接点と前記他の照明パネル（１０Ｂ）の正極用の前記電気接点とが、前記配線を通して電気的に接続されることによって直列に配列される、
請求項６に記載の照明器具。
【請求項８】
前記照明パネル（１０Ａ）の外周にはストッパー部（１７Ｔ）が設けられ、
前記他の照明パネル（１０Ｂ）は、前記他の保持部材（２２）に取り付けられ、
前記照明パネルが回動することによって前記第２姿勢から前記第１姿勢に遷移する際、前記ストッパー部が隣接する前記他の前記照明パネルに当接することによって、前記照明パネルおよび前記他の照明パネルの発光面同士が同一平面上に位置するように前記照明パネルの回動量が規制される、
請求項２に記載の照明器具。
【請求項９】
前記照明パネル（１０Ａ）に設けられた前記取付具（３１，３２）は、前記照明パネルの前記裏面のうちの前記照明パネルの前記保持部材に対する回動の中心軸を挟んだ一方側と他方側とが互いに非対称になるように配置されている、
請求項１から６のいずれかに記載の照明器具。
【請求項１０】
前記照明パネル（１０Ａ）およびまたは前記他の照明パネル（１０Ｂ）は、有機ＥＬから構成される、
請求項１から９のいずれかに記載の照明器具。
【発明の詳細な説明】
【技術分野】
【０００１】
本発明は、照明器具に関し、特に、着脱可能な照明パネルを備える照明器具に関する。
【背景技術】
【０００２】
特開２００７−１７２９１９号公報（特許文献１）に開示されるように、着脱可能な照明パネルを備える照明器具が知られている。このような照明器具においては、天井または壁面などに固定された保持部材に対して、照明パネルが着脱可能に取り付けられる。照明パネルは、所定の位置に配置され、その状態で駆動されることによって発光する。
【先行技術文献】
【特許文献】
【０００３】
【特許文献１】特開２００７−１７２９１９号公報
【発明の概要】
【発明が解決しようとする課題】
【０００４】
上述のとおり、照明パネルは、所定の位置に配置された状態で駆動されることによって発光する。照明パネルは、その外周が他の照明パネル、壁面、または天井面などによって囲まれるように配置される場合がある。たとえば、複数の照明パネルがマトリックス状に配置され、発光面同士が同一平面上において隣接するように配置されたとする。照明パネルとこの照明パネルに隣接する他の照明パネルとが密着している場合、あるいは密着はしていないが照明パネル間の隙間が小さい場合（以下、これらの状態を総称して「隣接する」という）、その隙間には手指または工具などが入りにくく、照明パネルの着脱は困難になる。【０００５】
本発明は、照明パネルの外周が他の照明パネル、壁面、または天井面などによって、間に殆ど隙間なく囲まれるように配置された場合であっても、その照明パネルを容易に着脱することが可能な照明器具を提供することを目的とする。
【課題を解決するための手段】
【０００６】
本発明のある局面に基づく照明器具は、所定の方向に向かって延びる形状を有する保持部材と、上記保持部材に取り付けられ、表面側に発光面が設けられた照明パネルと、上記照明パネルの裏面上に設けられ、上記照明パネルを上記保持部材に対して着脱可能に取り付ける取付具と、を備え、上記照明パネルの発光面は他の照明パネルの発光面と隣接するように配置され、上記照明パネルは、該照明パネルの発光面と上記他の照明パネルの発光面とが略同一平面上に位置している第１姿勢と、上記照明パネルが該照明パネルの発光面側から押圧されることによって、上記取付具が上記保持部材に取り付けられている部分を中心として回動するとともに上記他の照明パネルに対して傾斜する第２姿勢と、を形成し、上記第２姿勢を形成した上記照明パネルが上記保持部材から遠ざかる方向に移動されることによって、上記取付具が上記保持部材から離脱し、上記第２姿勢を形成した上記照明パネルは上記保持部材から取り外される。【０００７】
本発明の他の局面に基づく照明器具は、表面側に発光面が設けられた照明パネルと、上記照明パネルの裏面上に設けられ、上記照明パネルの設置場所に固定された所定の方向に延びる形状を有する保持部材に対して該照明パネルを着脱可能に取り付ける取付具と、を備え、上記照明パネルの発光面は他の照明パネルの発光面と隣接するように配置され、上記照明パネルは、該照明パネルの発光面と上記他の照明パネルの発光面とが略同一平面上に位置している第１姿勢と、上記照明パネルが該照明パネルの発光面側から押圧されることによって、上記取付具が上記保持部材に取り付けられている部分を中心として回動するとともに上記他の照明パネルに対して傾斜する第２姿勢と、を形成し、上記第２姿勢を形成した上記照明パネルが上記保持部材から遠ざかる方向に移動されることによって、上記取付具が上記保持部材から離脱し、上記第２姿勢を形成した上記照明パネルは上記保持部材から取り外される。
【発明の効果】
【０００８】
本発明によれば、照明パネルの外周が他の照明パネル、壁面、または天井面などによって、間に殆ど隙間なく囲まれるように配置された場合であっても、その照明パネルを容易に着脱することが可能な照明器具を得ることができる。
【図面の簡単な説明】
【０００９】
【図１】実施の形態１における照明器具を示す斜視図である。
【図２】実施の形態１における照明器具に備えられる照明パネルの裏面側を示す平面図である。
【図３】図２におけるＩＩ−ＩＩ線に沿った矢視断面図である。
【図４】実施の形態１における照明器具に備えられる照明パネルおよび取付具が保持部材から取り外される際の様子を示す断面図である。
【図５】実施の形態１における照明器具に備えられる照明パネルおよび取付具が保持部材から取り外される際の様子を示す斜視図である。
【図６】実施の形態２における照明器具に備えられる照明パネルが保持部材に取り付けられる際の様子を示す平面図である。
【図７】実施の形態２における照明器具を示す平面図である。
【図８】実施の形態３における照明器具に用いられる照明パネル（第２姿勢）を示す断面図である。
【図９】実施の形態３における照明器具に用いられる照明パネル（第１姿勢）を示す断面図である。
【図１０】実施の形態４における照明器具に用いられる照明パネルを示す平面図である。
【図１１】実施の形態５における照明器具に用いられる照明パネル（取付具）が保持部材に取り付けられる際の様子を示す斜視図である。
【図１２】実施の形態５における照明器具に用いられる照明パネル（第２姿勢）が保持部材に取り付けられる際の様子を示す断面図である。
【図１３】実施の形態５における照明器具に用いられる照明パネル（第１姿勢）が保持部材に取り付けられた際の様子を示す断面図である。
【図１４】実施の形態６における照明器具に用いられる照明パネル（取付具）が保持部材に取り付けられる際の様子を示す斜視図である。
【発明を実施するための形態】
【００１０】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００１１】
［実施の形態１］
（照明器具１００）
図１を参照して、本実施の形態における照明器具１００について説明する。図１は、照明器具１００を示す斜視図（照明パネル１０Ａ〜１０Ｄの各々の発光面とは反対の裏面側から照明器具１００を見た図）である。照明器具１００は、照明パネル１０Ａ〜１０Ｄ、保持部材２１，２２、および、取付具３１，３２を備える。
【００１２】
照明パネル１０Ａ〜１０Ｄは、各々の表面側に発光面（図３における発光面１６参照）を有する。照明パネル１０Ａ〜１０Ｄの各々の裏面上に、取付具３１，３２の２つが取り付けられる。保持部材２１，２２は、所定の方向に向かって延びる円柱状の部材から構成される。
【００１３】
保持部材２１，２２は、軸受部材（図示せず）によって、天井または壁面（いずれも図示せず）などに固定される。本実施の形態における保持部材２１，２２は、互いに平行な位置関係となるように配置される。保持部材２１，２２は、円柱状の部材に限られず、断面形状が多角形の部材から構成されてもよい。
【００１４】
互いに隣り合う照明パネル１０Ａおよび照明パネル１０Ｄは、保持部材２１の延在方向に沿って並んでいる。照明パネル１０Ａおよび照明パネル１０Ｄは、取付具３１，３２によって、保持部材２１に対して着脱可能に取り付けられる（詳細は後述する）。
【００１５】
互いに隣り合う照明パネル１０Ｂおよび照明パネル１０Ｃは、保持部材２２の延在方向に沿って並んでいる。照明パネル１０Ｂおよび照明パネル１０Ｃは、取付具３１，３２によって、保持部材２２に対して着脱可能に取り付けられる（詳細は後述する）。
【００１６】
照明パネル１０Ａ〜１０Ｄが保持部材２１，２２に取り付けられた状態においては、照明パネル１０Ａ〜１０Ｄの発光面（図３における発光面１６参照）は互いに隣り合っている。本実施の形態における照明パネル１０Ａ〜１０Ｄは、相互に密着するように配置される。照明パネル１０Ａ〜１０Ｄの発光面（図３における発光面１６参照）同士は、略同一平面上に位置している。
【００１７】
（照明パネル１０Ａ）
以下、図２および図３を参照して、照明パネル１０Ａについて説明する。照明パネル１０Ｂ〜１０Ｄは、照明パネル１０Ａと同様に構成される。照明パネル１０Ｂ〜１０Ｄについては、その説明を繰り返さないものとする。
【００１８】
図２は、照明パネル１０Ａの裏面１０Ｔ側を示す平面図である。図２に示すように、平面視における照明パネル１０Ａの外形は、矩形状に形成される。照明パネル１０Ａは、その外周が、照明パネル１０Ｂ（図１参照）、照明パネル１０Ｄ（図１参照）、および、天井面もしくは壁面などの他の部材（図示せず）によって、間に殆ど隙間なく囲まれるように配置される。
【００１９】
上述のとおり、照明パネル１０Ｂ，１０Ｄは、照明パネル１０Ａと同様に構成される。照明パネル１０Ａは、外周のすべてが照明パネル１０Ａと同様に構成される他の照明パネル（照明パネル１０Ｂ，１０Ｄなど）によって囲まれるように配置されてもよい。
【００２０】
図３は、図２におけるＩＩ−ＩＩ線に沿った矢視断面図である。図３に示すように、照明パネル１０Ａは、有機ＥＬ（Organic  Electroluminescence）を含む発光手段である。照明パネル１０Ａは、透明基板１１（カバー層）、陽極１２、有機層１３、陰極１４、封止層１５、発光面１６、および筐体１７を含む。陽極１２、有機層１３、および陰極１４は、透明基板１１の表面に順次積層される。
【００２１】
透明基板１１は、たとえば各種のガラス基板から構成される。透明基板１１を構成する部材としては、ＰＥＴ（Polyethylene  Terephthalate）またはポリカーボネイト等のフィルム基板が用いられてもよい。発光面１６は、透明基板１１の下面（照明パネル１０Ａとしての表面１０Ｓ側）に形成される。
【００２２】
陽極１２は、透明性を有する導電膜である。陽極１２を形成するためには、スパッタリング法等によって、ＩＴＯ（Indium  Tin  Oxide：インジウム錫酸化物）等が透明基板１１上に成膜される。フォトリソグラフィ法等によりＩＴＯ膜が所定の形状にパターニングされることによって、陽極１２が形成される。
【００２３】
有機層１３は、電力が供給されることによって光（可視光）を生成することができる。有機層１３は、単層の発光層から構成されていてもよく、正孔輸送層、発光層、正孔阻止層、および電子輸送層などが順次積層されることによって構成されていてもよい。
【００２４】
陰極１４は、たとえばアルミニウム（ＡＬ）である。陰極１４は、真空蒸着法等によって有機層１３を覆うように形成される。陰極１４を所定の形状にパターニングするために、真空蒸着の際にはマスクが用いられるとよい。
【００２５】
封止層１５は、絶縁性を有する。封止層１５は、有機層１３を水分等から保護するために形成される。封止層１５は、たとえばガラス基板を用いて、周囲をエポキシ系の光硬化型接着剤で接着させることによって形成される。
【００２６】
封止層１５は、陽極１２、有機層１３、および陰極１４の略全体を透明基板１１上に封止する。陽極１２の一部と陰極１４の一部とは、電気的な接続のために、封止層１５から露出している。陽極１２の封止層１５から露出している部分は、陽極接続部１８を構成する。陰極１４の封止層１５から露出している部分は、陰極接続部１９を構成する。
【００２７】
陽極接続部１８は、接点バネ１８Ｓおよび内部配線材（図示せず）を通して、取付具３１（図２参照）と電気的に接続される。取付具３１は、金属製の部材から構成され、照明パネル１０Ａに給電するための駆動回路４０（図２参照）（外部の電力供給手段）に接続される。取付具３１は、駆動回路４０から照明パネル１０Ａに給電するための陽極用の電気接点を構成している。
【００２８】
陰極接続部１９は、接点バネ１９Ｓおよび内部配線材３２Ｄを通して、取付具３２と電気的に接続される。取付具３２も、金属製の部材から構成され、照明パネル１０Ａに給電するための駆動回路４０（図２参照）（外部の電力供給手段）に接続される。取付具３２は、駆動回路４０から照明パネル１０Ａに給電するための陰極用の電気接点を構成している。
【００２９】
照明パネル１０Ａにおいては、駆動回路４０によって陽極１２および陰極１４の間に交流電圧が印加される。交流電圧の印加によって、有機層１３が発光する。有機層１３において生成された光は、透明基板１１（発光面１６）側から外部に取り出される。
【００３０】
図３に示すように、透明基板１１、陽極１２、有機層１３、陰極１４、および封止層１５は、筐体１７の内部に配置される。筐体１７は、発光面１６側に端部から中央部に向かって延在する延在部１７Ｇを有する。延在部１７Ｇによって、透明基板１１、陽極１２、有機層１３、陰極１４、および封止層１５は、筐体１７の内部において固定される。
【００３１】
発光面１６の縦横の夫々の長さがたとえば１０ｃｍ〜３０ｃｍであるのに対して、延在部１７Ｇの幅は、５ｍｍ〜１０ｍｍ程度となるように小さく形成されるとよい。筐体１７の内部に陽極１２、有機層１３、陰極１４、および封止層１５を配置するために、筐体１７の裏面１０Ｔ側の部分は、蓋状の別部材として構成されていてもよい。
【００３２】
（取付具３１，３２）
上述のとおり、取付具３１，３２は、筐体１７の上面（照明パネル１０Ａとしての裏面１０Ｔ）上において互いに間隔を空けて並んで設けられる。本実施の形態における取付具３１，３２は、互いに同様に構成される。以下、取付具３２のみについて説明する。
【００３３】
図１〜図３に示すように、取付具３２は、全体として略円筒状に形成されるとともに、外周面の一部は筒軸方向に沿って分断されている。換言すると、取付具３２は断面形状が略Ｃ字状に形成される。取付具３２の一部が分断された部分に、保持部材２１を受け入れるための受入れ部３２Ｓ（図３参照）が形成される。
【００３４】
取付具３２は、所定の弾性を有し、たとえばＳＵＳ（ステンレススチール）などの金属製の部材から構成される。取付具３２は、受入れ部３２Ｓを挟んだ一方側が、照明パネル１０Ａの筐体１７上にねじ止めされる（図２参照）。取付具３２は、受入れ部３２Ｓを挟んだ他方側が、円弧状に湾曲した板バネを形成している。取付具３２は、照明パネル１０Ａの筐体１７上に対して、カシメ等の他の機械締結手段によって固定されていてもよい。
【００３５】
取付具３２には、受入れ部３２Ｓを通して、保持部材２１が着脱可能に嵌め込まれ、取り付けられる。また、取付具３２に取り付けられた保持部材２１は、同様に受入れ部３２Ｓを通じて、取付具３２から引き抜かれ、取付具３２から離脱する。取付具３２に保持部材２１が嵌め込まれる際、および、取付具３２から保持部材２１が引き抜かれる際には、受入れ部３２Ｓと、上記の円弧状に湾曲した板バネを形成している部分とが利用される。なお図示しないが、取付具３１にも、同様の構成がある。
【００３６】
照明パネル１０Ａが保持部材２１に取り付けられる際には、受入れ部３２Ｓを保持部材２１に押し当てることにより、受入れ部３２Ｓの両端部が取付具３２の板バネの作用によって広がり保持部材２１を通過させる。また、保持部材２１が受入れ部３２Ｓを通過した後は、保持部材２１の外周を囲うように（すなわち、元の状態に戻るように）取付具３２が弾性変形するとともに、取付具３２と保持部材２１とは相互に係合し、取付具３２に保持部材２１が取り付けられる。照明パネル１０Ａが保持部材２１から取り外される際には、取付具３２は受入れ部（受入れ部３２Ｓ）を中心として広がるように弾性変形するとともに、取付具３２と保持部材２１と相互の係合状態が解除され、取付具３２から保持部材２１が離脱する。取付具３１と保持部材２１とについても、同様に着脱される。
【００３７】
（照明器具１００の動作）
図３においては、照明パネル１０Ａの発光面１６と、照明パネル１０Ｂ〜１０Ｄ（図１参照）の発光面１６とが、同一平面上に位置している際の照明パネル１０Ａが図示される。照明パネル１０Ａのこの姿勢は、本発明における第１姿勢Ｓ１である。照明パネル１０Ａは、第１姿勢Ｓ１を形成している状態で、駆動回路４０（図２参照）に駆動されることによって発光する。
【００３８】
照明器具１００においては、いわゆる狭額縁構造を得るため、発光面１６同士が同一平面上において隣り合うように配置されるとともに、照明パネル１０Ａ〜１０Ｄ同士は互いに隣接するように配置される。照明パネル１０Ａが第１姿勢Ｓ１を形成している状態においては、照明パネル１０Ａと、照明パネル１０Ｂ，１０Ｄ等との間の隙間は極めて小さい。
【００３９】
ここで、照明器具１００のうちの照明パネル１０Ａに交換する必要が生じたとする。この場合、第１姿勢Ｓ１を形成している照明パネル１０Ａは、発光面１６側の外周部付近が押圧される（図４における矢印ＤＲ参照）。この際、筐体１７を利用して照明パネル１０Ａが押圧されることが好ましい。また、安全のために、照明パネル１０Ａ〜１０Ｄに対する給電は停止されていることが好ましい。
【００４０】
図４を参照して、照明パネル１０Ａは、外周部付近が押圧されることによって、取付具３１，３２が保持部材２１に係合している部分を中心として、矢印ＡＲ１方向に回動する。取付具３２の受入れ部３２Ｓ（および取付具３１の受入れ部）も、照明パネル１０Ａの回転角度と同様の分だけ回転する。照明パネル１０Ａは、他の照明パネル１０Ｂ，１０Ｄ（図５参照）等に対して傾斜する（傾いた状態である）第２姿勢Ｓ２を形成する。
【００４１】
図５に示すように、第２姿勢Ｓ２を形成した照明パネル１０Ａは、受入れ部３２Ｓ（図４参照）を利用することによって、保持部材２１から遠ざかる方向（矢印ＡＲ２参照）に沿って引き抜かれるように移動（スライド移動）される。ここで、図５に示すように、照明パネル１０Ａが第２姿勢Ｓ２を形成した状態においては、取付具３２の受入れ部３２Ｓ（図４参照）は、照明パネル１０Ａおよび取付具３１，３２を保持部材２１から遠ざける方向（矢印ＡＲ２方向）のちょうど反対側に位置している。取付具３１についても同様である。
【００４２】
照明パネル１０Ａおよび取付具３１，３２の移動によって、取付具３１，３２と保持部材２１との相互の係合状態は解除されるとともに、照明パネル１０Ａおよび取付具３１，３２は、保持部材２１から取り外される。照明パネル１０Ａは、新しいものと交換される。新しい照明パネルが保持部材２１に取り付けられる際には、上記と反対の流れの動作が実施される。
【００４３】
新しい照明パネルは、第２姿勢Ｓ２を形成している状態で保持部材２１に取り付けられた後、照明パネル１０Ａの外周部付近を押圧することによって、新しい照明パネルの発光面が、他の照明パネル１０Ｂ〜１０Ｄの発光面１６と同一平面上に位置するように回動される。その新しい照明パネルは、発光時においては、第１姿勢Ｓ１を形成するとともに、発光面同士が他の照明パネル１０Ｂ〜１０Ｄと略面一の状態となる。
【００４４】
（作用・効果）
照明パネル１０Ａは、外周部付近を押圧されることによって、第１姿勢Ｓ１から第２姿勢Ｓ２に容易に遷移する。照明パネル１０Ａは、第１姿勢Ｓ１を形成している状態においては、他の照明パネル１０Ｂ，１０Ｄ等によって囲まれており、照明パネル１０Ｂ〜１０Ｄと同様に発光することができる。したがって照明器具１００は、隙間なく密着するように配置された複数の照明パネル１０Ａ〜１０Ｄによって、効率よく均等に照明することができる。
【００４５】
一方、照明パネル１０Ａは、第２姿勢Ｓ２を形成している状態においては、取付具３１，３２の受入れ部（受入れ部３２Ｓ）を利用することによって容易に保持部材２１から取り外されることができる。照明パネル１０Ａを備えた照明器具１００によれば、照明パネル１０Ａの外周が他の照明パネル、壁面、または天井面などによって、間に殆ど隙間なく囲まれるように照明パネル１０Ａが配置される場合であっても、その照明パネル１０Ａは容易に交換されることができる。
【００４６】
照明器具１００においては、照明パネル１０Ａを交換するために、照明パネル１０上に引っかけ部を設けたり、照明パネル１０Ａに対して切り欠き部を設けたりする必要はない。引っかけ部または切り欠き部が設けられないため、照明パネル１０Ａ上の非発光部が大きくなることもなく、その非発光部に起因する照度ムラが発生することもない。したがって本実施の形態における照明パネル１０Ａを備えた照明器具１００によれば、照明パネル１０Ａを交換する上での利便性を向上させることができるだけでなく、発光効率を向上させることが可能であり、さらに、照度ムラの発生を抑制することもできる。また、照明パネル１０Ａの外周に突起物がないため、複数の照明パネルを互いに密着するように配置することができ、複数の照明パネルを敷き詰めることによって大きな発光面を実現することが可能になる。
【００４７】
本実施の形態においては、照明器具１００が天井に取り付けられるという態様に基づいて説明したが、照明器具１００が壁面に取り付けられる場合でも同様の作用および効果を得ることができる。保持部材２１を固定できる空間であれば、どのような空間であっても照明器具１００を設置することができる。照明器具１００においては、照明パネル１０Ａと照明パネル１０Ｂ〜１０Ｄとが同様に構成される。したがって、照明器具１００においては、照明パネル１０Ａ以外にも、照明パネル１０Ｂ〜１０Ｄについても照明パネル１０Ａと同様の作用および効果を得ることが可能である。
【００４８】
照明器具１００は、照明パネル１０Ａ〜１０Ｄに加えて、これらと同様に構成されるさらに複数の照明パネルを備えていてもよい。各々の照明パネルが照明パネル１０Ａと同様に第１姿勢Ｓ１から第２姿勢Ｓ２に遷移することによって、各々の照明パネルは容易に交換されることができる。
【００４９】
本実施の形態では、取付具３１，３２は、１つの照明パネル１０Ａに対して合計２つが設けられる。照明パネル１０Ａには、取付具３１または取付具３２のいずれか一方のみが設けられてもよいし、取付具３１および取付具３２に加えて他の複数の取付具が設けられていてもよい。本実施の形態の照明パネル１０Ａ〜１０Ｄにおいては、１つの筐体１７に対して１つの有機ＥＬパネルが内設される。１つの筐体１７に、複数の有機ＥＬパネルが内設されてもよい。
【００５０】
［実施の形態２］
図６に示すように、本実施の形態においては、照明パネル１０Ａ〜１０Ｃおよび他の複数の照明パネル（図示せず）が隣接するように配置される。照明パネル１０Ａ〜１０Ｃが保持部材２１に取り付けられる際、各々の取付具３１，３２が、保持部材２１に取り付けられる（矢印ＡＲ３参照）。保持部材２１の表面には、複数の配線パターン２４（電気接点）が互いに間隔を空けて設けられる。複数のうち両端に位置する配線パターン２４は、駆動回路４０に接続される。
【００５１】
図７を参照して、照明パネル１０Ａ〜１０Ｃが保持部材２１に取り付けられた状態においては、取付具３１，３２と配線パターン２４とが互いに電気的に接続される。配線パターン２４によって、照明パネル１０Ａ〜１０Ｃ同士は直列接続される。したがって本実施の形態によれば、照明パネル１０Ａ〜１０Ｃが保持部材２１に取り付けられた時点で、駆動回路４０からの電気的な接続が確立するため、取付上の利便性が高い。
【００５２】
［実施の形態３］
図８に示すように、照明パネル１０Ａの裏面１０Ｔ側の外周には、ストッパー部１７Ｔが設けられていてもよい。ストッパー部１７Ｔは、たとえば直方体状に形成され、照明パネル１０Ａの裏面１０Ｔ上から外方に向かって膨出するように設けられる。
【００５３】
照明パネル１０Ａは、発光面１６が他の照明パネル１０Ｂ等の発光面１６に対して傾いた第２姿勢Ｓ２を形成している状態で、保持部材２１に対して取り付けられる（矢印ＡＲ４参照）。照明パネル１０Ａは、保持部材２１に取り付けられた後、発光面１６が他の照明パネル１０Ｂ等の発光面１６と同一平面上に配置されるように、回動される（矢印ＡＲ５参照）。
【００５４】
図９を参照して、照明パネル１０Ａは、発光面１６が他の照明パネル１０Ｂ等の発光面１６と同一平面上に配置されることによって、第１姿勢Ｓ１を形成する。照明パネル１０Ａが回動することによって第２姿勢Ｓ２から第１姿勢Ｓ１に遷移する際、ストッパー部１７Ｔは、隣り合う照明パネル１０Ｂの裏面１０Ｔに当接する。照明パネル１０Ａが第２姿勢Ｓ２から第１姿勢Ｓ１に遷移する際、照明パネル１０Ａの回動量が規制されるため、照明パネル１０Ａが過度に回動することがなく、取付上の利便性が高い。
【００５５】
［実施の形態４］
図１０に示すように、本実施の形態における取付具３１，３２は、照明パネル１０Ａの裏面１０Ｔのうちの、照明パネル１０Ａの保持部材２１に対する回動の中心軸ＣＣを挟んだ一方側１７Ｍと他方側１７Ｎとが互いに非対称となるように配置される。取付具３１，３２は、照明パネル１０Ａの回動の中心軸ＣＣが照明パネル１０Ａの裏面１０Ｔ上の側面近傍に偏るように配置される。
【００５６】
照明パネル１０Ａが保持部材２１に取り付けられる際、保持部材２１に対して取付具３１が本来取り付けられるべき部分と取付具３２が本来取り付けられるべき部分とが反対に（逆向きに）配置された場合、照明パネル１０Ａは他の照明パネル等と干渉する。照明パネル１０Ａは、適切な向きによってのみ保持部材２１に取り付けられる。
【００５７】
照明パネル１０Ａに給電される電気極性の正負が反対になると、照明パネル１０Ａの有機ＥＬを構成している部分は電気的に破損してしまうことがある。本実施の形態における照明パネル１０Ａによれば、適切な向きによってのみ保持部材２１に取り付けられるため、いわゆる逆差しによって有機ＥＬが破損することは防止されている。
【００５８】
［実施の形態５］
図１１および図１２に示すように、本実施の形態における取付具３２は、受入れ部３２Ｓが設けられた把持部３３と、把持部３３を支持する台座部３４とから構成される。把持部３３は、所定の剛性を有している。把持部３３は、略Ｃ字状に形成され、受入れ部３２Ｓを挟んで左右対称に形成される。本実施の形態における保持部材２１には、受入れ部３２Ｓの幅寸法に対応する、１対の切り欠き面２３が設けられる。
【００５９】
図１２に示すように、照明パネル１０Ａは、発光面１６が他の照明パネル（図示せず）の発光面に対して傾いた第２姿勢Ｓ２を形成している状態で、保持部材２１に対して取り付けられる（矢印ＡＲ６参照）。照明パネル１０Ａは、保持部材２１に取り付けられた後、発光面１６が他の照明パネルの発光面と同一平面上に配置されるように、回動される（矢印ＡＲ７参照）。
【００６０】
図１３を参照して、照明パネル１０Ａは、発光面１６が他の照明パネル（図示せず）の発光面と略同一平面上に配置されることによって、第１姿勢Ｓ１を形成する。照明パネル１０Ａが回動することによって第２姿勢Ｓ２から第１姿勢Ｓ１に遷移する際、取付具３２の把持部３３は、保持部材２１の外周面２３Ｓ（図１１参照）に係合する。照明パネル１０Ａが保持部材２１から取り外される際には、上記と反対の流れの動作が実施される。本実施の形態における構成によっても、上述の実施の形態１と同様の作用および効果を得ることができる。
【００６１】
［実施の形態６］
図１４に示すように、本実施の形態における取付具３２は、全体としてＴ字状に構成される。取付具３２は、棒状に形成された支持部３５と、支持部３５の先端部に取り付けられた棒状の差込部３６とから構成される。支持部３５の後端部に、照明パネル（図示せず）が取り付けられる。
【００６２】
本実施の形態における保持部材２１は、円筒状に形成される。保持部材２１には、切欠２５と長穴２６とが設けられる。切欠２５は、取付具３２の支持部３５の直径よりもわずかに幅広に形成され、保持部材２１の外周方向（円周方向）に沿って延びるように設けられる。長穴２６は、取付具３２の差込部３６の長さよりもわずかに幅広に形成され、保持部材２１の長手方向に沿って延びるように設けられる。
【００６３】
照明パネル（図示せず）が保持部材２１に取り付けられる際、その照明パネルが第２姿勢を形成している状態で、差込部３６が長穴２６内に差し込まれる（矢印ＡＲ８参照）。差込部３６が保持部材２１の内周面側に配置された後、照明パネルは、支持部３５が切欠２５の内側を通るように回動される（矢印ＡＲ９参照）。取付具３２の差込部３６と保持部材２１の内周面とが相互に係合し、照明パネルは第１姿勢を形成する。照明パネルが保持部材２１から取り外される際には、上記と反対の流れの動作が実施される。本実施の形態における構成によっても、上述の実施の形態１と同様の作用および効果を得ることができる。
【００６４】
以上の複数の実施の形態からわかるように、保持部材と取付具とが互いに係合するものであれば、保持部材と取付具との夫々の係合する部分の形状および構成は、どのようなものであってもよく、以上の複数の実施の形態に記載しているそれらの形状および構成に限定されるものではない。
【００６５】
以上、本発明に基づいた各実施の形態について説明したが、今回開示された各実施の形態はすべての点で例示であって制限的なものではない。本発明の技術的範囲は請求の範囲によって示され、請求の範囲と均等の意味および範囲内でのすべての変更が含まれることが意図される。
【符号の説明】
【００６６】
１０，１０Ａ，１０Ａ，１０Ｂ，１０Ｃ，１０Ｄ  照明パネル、１０Ｓ  表面、１０Ｔ  裏面、１１  透明基板、１２  陽極、１３  有機層、１４  陰極、１５  封止層、１６  発光面、１７  筐体、１７Ｇ  延在部、１７Ｍ  一方側、１７Ｎ  他方側、１７Ｔ  ストッパー部、１８  陽極接続部、１８Ｓ，１９Ｓ  接点バネ、１９  陰極接続部、２１，２２  保持部材、２３  切り欠き面、２３Ｓ  外周面、２４  配線パターン、２５  切欠、２６  長穴、３１，３２  取付具、３２Ｄ  内部配線材、３２Ｓ  受入れ部、３３  把持部、３４  台座部、３５  支持部、３６  差込部、４０  駆動回路、１００  照明器具、ＡＲ１，ＡＲ２，ＡＲ３，ＡＲ４，ＡＲ５，ＡＲ６，ＡＲ７，ＡＲ８，ＡＲ９，ＤＲ  矢印、Ｓ１  第１姿勢、Ｓ２  第２姿勢。
【図１】
2013038947.tif 000003
【図２】
2013038947.tif 000004
【図３】
2013038947.tif 000005
【図４】
2013038947.tif 000006
【図５】
2013038947.tif 000007
【図６】
2013038947.tif 000008
【図７】
2013038947.tif 000009
【図８】
2013038947.tif 000010
【図９】
2013038947.tif 000011
【図１０】
2013038947.tif 000012
【図１１】
2013038947.tif 000013
【図１２】
2013038947.tif 000014
【図１３】
2013038947.tif 000015
【図１４】
2013038947.tif 000016
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
所定の方向に向かって延びる形状を有する保持部材と、
前記保持部材に取り付けられ、表面側に発光面が設けられた照明パネルと、
前記照明パネルの裏面上に設けられ、前記照明パネルを前記保持部材に対して着脱可能に取り付ける取付具と、を備え、
前記照明パネルの発光面は他の照明パネルの発光面と隣接するように配置され、
前記照明パネルは、
該照明パネルの発光面と前記他の照明パネルの発光面とが略同一平面上に位置している第１姿勢と、
前記照明パネルが該照明パネルの発光面側から押圧されることによって、前記取付具が前記保持部材に取り付けられている部分を中心として回動するとともに前記他の照明パネルに対して傾斜し、前記照明パネルと前記他の照明パネルとの間の隣接部分の間隔が前記第１姿勢の場合よりも大きくなる第２姿勢と、を形成し、
前記第２姿勢を形成した前記照明パネルが前記保持部材から遠ざかる方向に移動されることによって、前記取付具が前記保持部材から離脱し、前記第２姿勢を形成した前記照明パネルは前記保持部材から取り外される、
照明器具。
【請求項２】
表面側に発光面が設けられた照明パネルと、
前記照明パネルの裏面上に設けられ、前記照明パネルの設置場所に固定された所定の方向に延びる形状を有する保持部材に対して該照明パネルを着脱可能に取り付ける取付具と、を備え、
前記照明パネルの発光面は他の照明パネルの発光面と隣接するように配置され、
前記照明パネルは、
該照明パネルの発光面と前記他の照明パネルの発光面とが略同一平面上に位置している第１姿勢と、
前記照明パネルが該照明パネルの発光面側から押圧されることによって、前記取付具が前記保持部材に取り付けられている部分を中心として回動するとともに前記他の照明パネルに対して傾斜し、前記照明パネルと前記他の照明パネルとの間の隣接部分の間隔が前記第１姿勢の場合よりも大きくなる第２姿勢と、を形成し、
前記第２姿勢を形成した前記照明パネルが前記保持部材から遠ざかる方向に移動されることによって、前記取付具が前記保持部材から離脱し、前記第２姿勢を形成した前記照明パネルは前記保持部材から取り外される、
照明器具。
【請求項３】
所定の方向に向かって延びる形状を有する保持部材と、
前記保持部材に取り付けられ、表面側に発光面が設けられた照明パネルと、
前記照明パネルの裏面上に設けられ、前記照明パネルを前記保持部材に対して着脱可能に取り付ける取付具と、を備え、
前記照明パネルの発光面は他の照明パネルの発光面と隣接するように配置され、
前記照明パネルは、
該照明パネルの発光面と前記他の照明パネルの発光面とが略同一平面上に位置している第１姿勢と、
前記照明パネルが該照明パネルの発光面側から押圧されることによって、前記取付具が前記保持部材に取り付けられている部分を中心として回動するとともに前記他の照明パネルに対して傾斜し、前記照明パネルと前記他の照明パネルとの間の隣接部分の間隔が前記第１姿勢の場合よりも大きくなる第２姿勢と、を形成し、
前記第２姿勢を形成した前記照明パネルが前記保持部材から遠ざかる方向に移動されることによって、前記取付具が前記保持部材から離脱し、前記第２姿勢を形成した前記照明パネルは前記保持部材から取り外され、
前記第１姿勢において、外部の電力供給手段から前記照明パネルに給電され、前記第２姿勢において、前記外部の電力供給手段から前記照明パネルへの給電が停止される、
照明器具。
【請求項４】
前記保持部材は、前記外部の電力供給手段から前記照明パネルに給電するための電気接点を有し、
前記取付具は、給電を受けるための他の電気接点を有し、
前記照明パネルが前記第１姿勢を形成している状態において、前記取付具の前記他の電気接点と前記保持部材の前記電気接点とが互いに接触することにより、前記照明パネルは前記取付具を通して前記外部の電力供給手段からの給電を受け、
前記照明パネルが前記第２姿勢を形成している状態において、前記取付具の前記他の電気接点と前記保持部材の前記電気接点とは互いに非接触となり、前記給電が停止される、
請求項３に記載の照明器具。
【請求項５】
前記取付具は、前記照明パネルの前記裏面上に２つ設けられ、
一方の前記取付具は、正極用の前記他の電気接点を有し、
他方の前記取付具は、負極用の前記他の電気接点を有している、
請求項４に記載の照明器具。
【請求項６】
前記保持部材は、前記外部の電力供給手段から前記照明パネルに給電するための配線を有し、
前記他の照明パネルは、正極用の電気接点を構成する取付具と、負極用の電気接点を構成する他の取付具とを有し、
前記他の照明パネルは、前記保持部材に取り付けられ、
前記照明パネルと前記他の照明パネルとは、前記照明パネルの負極用の前記電気接点と前記他の照明パネルの正極用の前記電気接点とが、前記配線を通して電気的に接続されることによって直列に配列される、
請求項５に記載の照明器具。
【請求項７】
前記他の照明パネルは、前記保持部材または他の保持部材に取り付けられており、
前記他の保持部材は前記保持部材に対して平行に配置され、所定の方向に向かって延びる形状を有する、
請求項１から６のいずれかに記載の照明器具。
【請求項８】
前記照明パネルの外周にはストッパー部が設けられ、
前記他の照明パネルは、前記他の保持部材に取り付けられ、
前記照明パネルが回動することによって前記第２姿勢から前記第１姿勢に遷移する際、前記ストッパー部が隣接する前記他の照明パネルに当接することによって、前記照明パネルおよび前記他の照明パネルの発光面同士が同一平面上に位置するように前記照明パネルの回動量が規制される、
請求項７に記載の照明器具。
【請求項９】
前記照明パネルに設けられた前記取付具は、前記照明パネルの前記裏面のうちの前記照明パネルの前記保持部材に対する回動の中心軸を挟んだ一方側と他方側とが互いに非対称になるように配置されている、
請求項１から８のいずれかに記載の照明器具。
【請求項１０】
前記照明パネルおよびまたは前記他の照明パネルは、有機ＥＬから構成される、
請求項１から９のいずれかに記載の照明器具。
【請求項１１】
所定の方向に向かって延びる形状を有する保持部材と、
前記保持部材に取り付けられ、表面側に発光面が設けられた照明パネルと、
前記照明パネルの裏面上に設けられ、前記照明パネルを前記保持部材に対して着脱可能に取り付ける取付具と、を備え、
前記照明パネルは、前記照明パネル以外の別部材に隣接する外周を有し、当該外周は前記別部材によって囲まれるように配置されており、
前記照明パネルは、
該照明パネルの発光面と前記別部材とが隣接する第１姿勢と、
前記照明パネルが該照明パネルの発光面側から押圧されることによって、前記取付具が前記保持部材に取り付けられている部分を中心として回動するとともに前記別部材に対して傾斜し、前記照明パネルと前記別部材との間の隣接部分の間隔が前記第１姿勢の場合よりも大きくなる第２姿勢と、を形成し、
前記第２姿勢を形成した前記照明パネルが前記保持部材から遠ざかる方向に移動されることによって、前記取付具が前記保持部材から離脱し、前記第２姿勢を形成した前記照明パネルは前記保持部材から取り外される、
照明器具。
【手続補正２】
【補正対象書類名】明細書
【補正対象項目名】０００６
【補正方法】変更
【補正の内容】
【０００６】
本発明の第１局面に基づく照明器具は、所定の方向に向かって延びる形状を有する保持部材と、上記保持部材に取り付けられ、表面側に発光面が設けられた照明パネルと、上記照明パネルの裏面上に設けられ、上記照明パネルを上記保持部材に対して着脱可能に取り付ける取付具と、を備え、上記照明パネルの発光面は他の照明パネルの発光面と隣接するように配置され、上記照明パネルは、該照明パネルの発光面と上記他の照明パネルの発光面とが略同一平面上に位置している第１姿勢と、上記照明パネルが該照明パネルの発光面側から押圧されることによって、上記取付具が上記保持部材に取り付けられている部分を中心として回動するとともに上記他の照明パネルに対して傾斜し、上記照明パネルと上記他の照明パネルとの間の隣接部分の間隔が上記第１姿勢の場合よりも大きくなる第２姿勢と、を形成し、上記第２姿勢を形成した上記照明パネルが上記保持部材から遠ざかる方向に移動されることによって、上記取付具が上記保持部材から離脱し、上記第２姿勢を形成した上記照明パネルは上記保持部材から取り外される。
本発明の第２局面に基づく照明器具は、表面側に発光面が設けられた照明パネルと、上記照明パネルの裏面上に設けられ、上記照明パネルの設置場所に固定された所定の方向に延びる形状を有する保持部材に対して該照明パネルを着脱可能に取り付ける取付具と、を備え、上記照明パネルの発光面は他の照明パネルの発光面と隣接するように配置され、上記照明パネルは、該照明パネルの発光面と上記他の照明パネルの発光面とが略同一平面上に位置している第１姿勢と、上記照明パネルが該照明パネルの発光面側から押圧されることによって、上記取付具が上記保持部材に取り付けられている部分を中心として回動するとともに上記他の照明パネルに対して傾斜し、上記照明パネルと上記他の照明パネルとの間の隣接部分の間隔が上記第１姿勢の場合よりも大きくなる第２姿勢と、を形成し、上記第２姿勢を形成した上記照明パネルが上記保持部材から遠ざかる方向に移動されることによって、上記取付具が上記保持部材から離脱し、上記第２姿勢を形成した上記照明パネルは上記保持部材から取り外される。
【手続補正３】
【補正対象書類名】明細書
【補正対象項目名】０００７
【補正方法】変更
【補正の内容】
【０００７】
本発明の第３局面に基づく照明器具は、所定の方向に向かって延びる形状を有する保持部材と、上記保持部材に取り付けられ、表面側に発光面が設けられた照明パネルと、上記照明パネルの裏面上に設けられ、上記照明パネルを上記保持部材に対して着脱可能に取り付ける取付具と、を備え、上記照明パネルの発光面は他の照明パネルの発光面と隣接するように配置され、上記照明パネルは、該照明パネルの発光面と上記他の照明パネルの発光面とが略同一平面上に位置している第１姿勢と、上記照明パネルが該照明パネルの発光面側から押圧されることによって、上記取付具が上記保持部材に取り付けられている部分を中心として回動するとともに上記他の照明パネルに対して傾斜し、上記照明パネルと上記他の照明パネルとの間の隣接部分の間隔が上記第１姿勢の場合よりも大きくなる第２姿勢と、を形成し、上記第２姿勢を形成した上記照明パネルが上記保持部材から遠ざかる方向に移動されることによって、上記取付具が上記保持部材から離脱し、上記第２姿勢を形成した上記照明パネルは上記保持部材から取り外され、上記第１姿勢において、外部の電力供給手段から上記照明パネルに給電され、上記第２姿勢において、上記外部の電力供給手段から上記照明パネルへの給電が停止される。
本発明の第４局面に基づく照明器具は、所定の方向に向かって延びる形状を有する保持部材と、上記保持部材に取り付けられ、表面側に発光面が設けられた照明パネルと、上記照明パネルの裏面上に設けられ、上記照明パネルを上記保持部材に対して着脱可能に取り付ける取付具と、を備え、上記照明パネルは、上記照明パネル以外の別部材に隣接する外周を有し、当該外周は上記別部材によって囲まれるように配置されており、上記照明パネルは、該照明パネルの発光面と上記別部材とが隣接する第１姿勢と、上記照明パネルが該照明パネルの発光面側から押圧されることによって、上記取付具が上記保持部材に取り付けられている部分を中心として回動するとともに上記別部材に対して傾斜し、上記照明パネルと上記別部材との間の隣接部分の間隔が上記第１姿勢の場合よりも大きくなる第２姿勢と、を形成し、上記第２姿勢を形成した上記照明パネルが上記保持部材から遠ざかる方向に移動されることによって、上記取付具が上記保持部材から離脱し、上記第２姿勢を形成した上記照明パネルは上記保持部材から取り外される。
【国際調査報告】
2013038947.tif 000017
2013038947.tif 000018